(57)【要約】【課題】吊り込み調整時にも、経時的にも、回転中心軸のぐらつきを発生させない持ち出し吊りピボットヒンジを提供する。【解決手段】一方側プレート３と他方側プレート２とを備え、一方側プレート３はドアＡの上面に固定する基板４と、基端部５１１を基板４に固定する回転中心軸５と、傾き防止板７とを備え、他方側プレート２は上枠Ｂの下面に固定するとともに回転中心軸５の軸部５２を係脱自在に固定しており、基板４は取付孔９を有し、基端部５１１を水平方向の位置調整自在に取付孔９に固定してあり、傾き防止板７の一端側は軸嵌合部７２を設けて嵌合部５１３に嵌合してあり、傾き防止板７の他端側には回転中心軸の軸心方向に延びるガイド部６を設けてあり、基板４には傾き防止板７側に向けて突出する垂直軸８を設けてあり、垂直軸８がガイド部６に係合している。【選択図】        図１
2005016199.tif 000002
【特許請求の範囲】
【請求項１】
一方側プレートと他方側プレートとを備え、一方側プレートはドアの上面または上枠の下面のいずれか一方側に固定する基板と、基端部を基板に固定するドアの回転中心軸と、回転中心軸の傾き防止板とを備え、他方側プレートはドアの上面または上枠の下面のいずれか他方側に固定するとともに回転中心軸の先端側を係脱自在に固定しており、基板は回転中心軸の基端部より大きい取付孔を有し、基端部を水平方向の位置調整自在に取付孔に固定してあり、傾き防止板の一端側は軸嵌合部を設けて回転中心軸に嵌合してあり、傾き防止板の他端側と基板との何れか一方には他方側に向けて突出する垂直軸を設けてあり、他方には回転中心軸の軸心方向に延びるガイド部を設けてあり、垂直軸がガイド部に係合していることを特徴とする持ち出し吊りピボットヒンジ。
【発明の詳細な説明】
【０００１】
【発明が属する技術分野】
本発明は、ドアの吊元側の上下端部をピボット軸（回転中心軸）により枢止してドア枠に回動自在に連結する持ち出し吊りピボットヒンジに関するものである。
【０００２】
【従来の技術】
上記した持ち出し吊りピボットヒンジは建て付け調整時の回転中心軸の位置調整が必要不可欠であり、従来、この回転中心軸の位置調整に関する方法として枠体にドアを取り付けたままで軸位置を調整できるようにしたものが種々開示されている。例えば、特許文献１ではピボット支持孔の四方に底面が傾斜するスライド溝を設けてスライド溝に嵌め込んだ固定部材の位置を調整ねじで調整して回転中心軸の位置を固定している。また、特許文献２ではドアの巾方向及び厚み方向に設けた２つの調整ねじを用いて軸位置調整を可能にしており、或いは、特許文献３では偏芯軸と長孔とを組み合わせ、偏芯軸を任意に回転させることによって回転中心軸の位置を調整できるようにしている。
【０００３】
【特許文献１】
特開平７−２、９３２７９号公報
【特許文献２】
特開平８−３１２２３０号公報
【特許文献３】
実開平５−７５３７９号公報
【０００４】
【発明が解決しようとする課題】
ところが、上記した如き従来の持ち出し吊りピボットヒンジでは、建て付け調整の為に回転中心軸の軸位置の調整を行なう際に、調整ねじ或いは固定ねじを緩める必要があり、このときに回転中心軸の基端部及び軸部がドア自身の重量のために傾いてそのまま固定され、その結果、回転中心軸のぐらつきを発生させることとなり、ドアの開閉異常を来たすという問題があり、また、ドアの開閉動作を繰り返すうちに震動などの力が作用して経時的に調整ねじ或いは固定ねじが緩んできて回転中心軸のぐらつきを発生させるという問題があり、これらの問題を解決することが従来の課題となっていた。
【０００５】
【発明の目的】
本発明は、上記した従来の課題に着目してなされたもので、ドア吊り込み時の軸位置調整のときに、或いは経時的にも回転中心軸のぐらつきを発生させない持ち出し吊りピボットヒンジを提供することを目的としている。
【０００６】
【課題を解決するための手段】
請求項１に記載の持ち出し吊りピボットヒンジは、一方側プレートと他方側プレートとを備え、一方側プレートはドアの上面または上枠の下面のいずれか一方側に固定する基板と、基端部を基板に固定するドアの回転中心軸と、回転中心軸の傾き防止板とを備え、他方側プレートはドアの上面または上枠の下面のいずれか他方側に固定するとともに回転中心軸の先端側を係脱自在に固定しており、基板は回転中心軸の基端部より大きい取付孔を有し、基端部を水平方向の位置調整自在に取付孔に固定してあり、傾き防止板の一端側は軸嵌合部を設けて回転中心軸に嵌合してあり、傾き防止板の他端側と基板との何れか一方には他方側に向けて突出する垂直軸を設けてあり、他方には回転中心軸の軸心方向に延びるガイド部を設けてあり、垂直軸がガイド部に係合している構成を前述した従来の課題を解決するための手段としている。
【０００７】
【発明の作用】
本発明の請求項１に係わる持ち出し吊りピボットヒンジにおいては、回転中心軸は基端部を水平方向の位置調整自在に基板の取付孔に固定してあり、傾き防止板の一端側は軸嵌合部を設けて回転中心軸を嵌合しているから、回転中心軸の基板に対する位置調整を行なって回転中心軸の位置を移動すると、傾き防止板は回転中心軸の移動に追随して移動して基板との相対位置が変化することになるが、このとき、傾き防止板の他端側と基板との何れか一方には他方側に向けて突出する垂直軸を設けてあり、他方には回転中心軸の軸心方向に延びるガイド部を設けてあるから、基板と傾き防止板との相対位置が変化するとそれに伴って垂直軸とガイド部との係合部がガイド部に沿って回転中心軸の軸心方向に追随移動することととなるとともに、基板と傾き防止板との相対距離は常に一定を保っていることとなり、且つ、回転中心軸は傾き防止板に嵌合しているから、回転中心軸の角度は常に傾き防止板によって一定に保たれていることとなるので、回転中心軸の位置調整をするために基端部を水平方向の位置調整自在に基板の取付孔に固定している位置調整ねじを緩めたときにも回転中心軸は常に略鉛直方向から傾くことなく移動することができることとなるものである。更に、経時的にドアの開閉動作を繰り返しても、傾き防止板が常に回転中心軸を略鉛直方向に嵌合保持しているからドアの開閉時に位置調整ねじに直接作用する震動力が小さくなるので位置調整ねじが緩みにくく、また、多少位置調整ねじが緩んでも回転中心軸は略鉛直を保つことができるので回転中心軸にぐらつきを発生させることがないという格別の効果が得られることとなる。
【０００８】
【発明の実施の形態】
以下、本発明を図面に基づいて説明する。
【０００９】
本発明の第一実施形態の持ち出し吊りピボットヒンジ１は一方側プレートをドア側プレートとし、他方側プレートを上枠側プレートとし、また、基板は垂直軸を固定し、傾き防止板にガイド部（長孔）を設けてある場合を例にとっている。
【００１０】
図１は本発明の第一実施形態の持ち出し吊りピボットヒンジ１の一方側プレート３、即ち、ドア側プレート３の（ａ）平面図、（ｂ）Ａ−Ａ線断面図及び（ｃ）Ｂ−Ｂ線断面図である。図１に示す通り、ドア側プレート３は基板４と回転中心軸５と傾き防止板７とを備えている。基板４はドア固定部４ａ側にドアＡの上端にドア側プレート３を取り付けてねじ止め固定するためのねじ穴を設けてあり、張り出し部４ｂの下面側に基部４ｄを固定してあるとともに張り出し部４ｂ及び基部４ｄに回転中心軸５を水平方向の位置調整自在に固定する取付孔９と、垂直軸８を固定する垂直軸固定部４ｃとを設けてある。垂直軸８は基板４を挿通して基部４ｄに設けた垂直軸固定部４ｃにねじ止め固定してある。回転中心軸５は軸保持部５１と軸部５２とを有し、軸保持部５１は基板４の張り出し部４ｂ及び基部４ｄに設けた取付孔９に回転中心軸５の水平方向の位置を調整自在に固定する基端部５１１と、軸保持部５１を基板４の張出し部４ｂに当接載置して円盤状に設けた載置部５１２と、載置部５１２の上部、且つ、軸部５２の周囲に突出して設けた嵌合部５１３とを有している。軸部５２は垂直方向を軸としたベアリングを用いて軸保持部５１の下部に設けた基端部５１１に回転自在、且つ、水平方向の位置調整自在に固定するとともに、上方に突出して先端側を他方側プレート２、即ち上枠側プレート２に係脱自在に固定してドアＡを上枠Ｂに回動自在に保持するものである。軸保持部５１の嵌合部５１３は傾き防止板７の軸嵌合部７２に嵌合し、同時に載置部５１２の上面に当接してあって、傾き防止板７と載置部５１２とを略一体としており、載置部５１２は基板４の張り出し部４ｂに当接載置することによって、回転中心軸５の軸保持部５１を基板４に当接して軸部５２を略垂直方向に保持し易いようにしてある。傾き防止板７は一端側に回転中心軸５の嵌合部５１３に嵌合する軸嵌合部７２を設け、他端側に回転中心軸５の軸心方向に向かって長く延びた長孔をガイド部７１として設けてあり、垂直軸８はガイド部（長孔）７１を挿通するとともに上端に板押え８１を固定してある。したがって、傾き防止板７は垂直軸８の回りに回動自在に保持されるとともに、板押え８１と基板４との間に挟持して上下方向の移動を規制してあり、ガイド部（長孔）７１によって垂直軸８に沿ってガイドされることとなり、また上記した通り傾き防止板７の軸嵌合部７２が回転中心軸５の嵌合部５１３に嵌合しているから、傾き防止板７は常に基板４に平行に、且つ、回転中心軸５の軸部５２を略垂直に保持しつつ、回転中心軸５の水平方向の位置調整に追随して自在に移動することができるものである。
【００１１】
上述した如く、基板４の張り出し部４ｂ及び基部４ｄには回転中心軸５の水平方向の位置調整を自在に行なう取付孔９を設けてあり、取付孔９は回転中心軸５の基端部５１１より大きく設けてあるから、基端部５１１を挿通して回転中心軸５の水平方向の位置調整を可能としているものであり、以下に第一実施形態における回転中心軸５の位置調整方法について詳述する。取付孔９の下面にはそれぞれ相対向して取付孔９の中心に向かって上方に傾斜し、互いに直交する方向に設けた２組の傾斜溝９１、９１、９１、９１を設け、この傾斜溝９１、９１、９１、９１に４つの軸位置調整駒９２、９２、９２、９２を嵌挿し、これらを４つの軸位置調整ねじ９３、９３、９３、９３で固定してある。軸位置調整駒９２は上方を傾斜溝９１と同じ勾配の傾斜面とし、回転中心軸５側を垂直面とし、下方を水平面とし、軸位置調整ねじ９３のねじ部を垂直方向に自在に挿通するように角パイプを切断して製作したものであり、取付孔９の傾斜溝９１の面部には軸位置調整ねじ９３を上方に螺入挿通するねじ孔を設けてあり、２組の相対向する軸位置調整駒９２、９２、９２、９２の互いに対面する垂直面をそれぞれ回転中心軸５の基端部５１１に当接して軸位置調整ねじ９３、９３、９３、９３を締め付ければ回転中心軸５は軸位置調整駒９２、９２、９２、９２によって取付孔９に固定されるようになっている。回転中心軸５の位置は基端部５１１を挟んで相対向する軸位置調整駒９２、９２の外側が傾斜溝９１に当接しているから軸位置調整駒９２、９２を固定している軸位置調整ねじ９３、９３のねじ込み深度の一方側を浅くし、他方側を深くすることによって基端部５１１を一方側に移動することで調整できるものである。
【００１２】
傾き防止板７の一端側に設けた軸嵌合部７２は上記した通り、回転中心軸５の軸保持部５１に設けた嵌合部５１３に嵌合して回転中心軸５の軸部５２を略鉛直方向に保持しているものである。そして、傾き防止板７の他端側はガイド部（長孔）７１が垂直軸８に係合するとともに、板押え８１で上下方向の移動を規制してガイド可能としてあり、即ち、水平方向にスライド自在、且つ、垂直軸８の回りに回動自在としてあるから、上記したようにして軸位置調整ねじ９３を調整して回転中心軸５の位置を移動すると、傾き防止板７は水平位置を保ったままで回転中心軸５の位置移動に追随して移動しつつ、回転中心軸５を略鉛直方向に常時保持していることとなるものである。
【００１３】
以上、本発明の持ち出し吊りピボットヒンジの第一実施形態としてその内のドア側プレート３を一方側プレートとした場合のドア側プレート３の構成例について詳述した。次に、本発明の第一実施形態の持ち出し吊りピボットヒンジ１の他方側プレート、即ち、上枠側プレート２の構成、及び、上述したドア側プレート３（一方側プレート）を取り付けたドアの上枠側プレート２（他方側プレート）を取り付けたドア枠への建て込みについて説明する。
【００１４】
図３〜図５は本発明の第一実施形態の持ち出し吊りピボットヒンジ１の上枠側プレート２を取り付けたドア上枠Ｂにドア側プレート３を取り付けたドアＡを建て込む状態の説明図である。図４及び図５に示すように、本発明の第一実施形態のの持ち出し吊りピボットヒンジは、上枠Ｂの下面に固定する上枠側プレート２と、ドアＡの上面に固定する上述した構成のドア側プレート３とを備え、上枠側プレート２は軸固定部２１を有して軸部５２を係脱自在に固定するものである。
【００１５】
更に詳述すると、上枠側プレート２は、図示しないが上枠Ｂの下面に固定するとともに、図４及び図５に示す通り、張出し部２ｂに軸固定部２１と、固定レバー２２と、固定爪２３とを有し、固定レバー２２と固定爪２３とは図示しないがバネで連動するようにしてあって、図４の如く固定レバー２２を引いて固定爪２３を開き、軸固定部２１にドア側プレート３の回転中心軸５の軸部５２を当接し、固定レバー２２を元に戻して固定することによって、図５に示す如く固定爪２３が閉じて、軸固定部２１と固定爪２３とで軸部５２を挟持して固定するものであり、即ち、上枠側プレート２は軸固定部２１を有して軸部５２を係脱自在に固定するものである。
【００１６】
図３は本発明の第一実施形態の持ち出し吊りピボットヒンジを備えたドアＡを上枠Ｂに吊り込む状態を示しており、ドアＡの下部ピボットヒンジＣを下枠の下部ピボットヒンジに嵌め込み、これを支点として、上述の通り、上枠Ｂの下面に固定した上枠側プレート２にドアＡの上面に固定したドア側プレート３の回転中心軸５を嵌め込むことによってドアＡを上枠Ｂに吊り込むものである。
【００１７】
本発明の第二実施形態の持ち出し吊りピボットヒンジは図示を省略するが、上述した第一実施形態の持ち出し吊りピボットヒンジ１の上下を逆にしたものであり、即ち、一方側プレート３を上枠側プレートとし、他方側プレート２をドア側プレートとして、一方側プレート３を上枠の下面に取り付けて軸部５２を下向きにするとともに、他方側プレート２をドアの上面に取り付けて軸部５２を係脱自在に固定するものである。
【００１８】
以上、本発明の持ち出し吊りピボットヒンジの第一実施形態及び第二実施形態について説明してきたが、以下に回転中心軸５のがたつき防止の作用効果について詳述する。上述の本発明の第一実施形態においても説明した通り、持ち出し吊りピボットヒンジを用いたドアの建て付け調整を行なう場合、例えば、回転中心軸５の軸保持部５１の基端部５１１を挟んで相対向する軸位置調整駒９２、９２の一方側に動かす場合は、一方側の軸位置調整駒９２を締め付け固定している軸位置調整ねじ９３を緩めて一方側のねじ込み深度を浅くし、そして他方側の軸位置調整駒９２を締め付け固定している軸位置調整ねじ９３を更に締め込んで他方側のねじ込み深度を深くすることによって、軸位置調整駒９２、９２で挟持して固定している軸保持部５１の基端部５１１を一方側に移動することができる。これらの軸位置調整駒９２、９２と直交する方向に設けて相対向する軸位置調整駒９２、９２についても同様に前記の調整方向と直交する方向の軸保持部５１の位置調整ができるので回転中心軸５は水平方向の位置を調整自在となる訳であるが、この軸位置を一方側に移動するために一方側の軸位置調整ねじ９３を緩めたときに、一時的に軸保持部５１を垂直方向に固定している軸位置調整駒９２が開放された状態となり、傾き防止板７その他の構成を設けてなかった従来の持ち出し吊りピボットヒンジの場合は回転中心軸５の軸部５２を垂直に保持する手段が他には開放された軸位置調整駒９２と直交する方向の軸位置調整駒９２のみとなるので、ドアＡ自身の自重のために軸部５２が傾いて、軸保持部５１も傾き、緩めた一方側に対向する他方側の軸位置調整ねじ９３を締め付けて軸位置を移動しても軸保持部５１が傾いたままの状態で固定されてしまうことがあり、そのために回転中心軸５がぐらつくという問題が起きていたものである。
【００１９】
対して、本発明の第一実施形態或いは第二実施形態の持ち出し吊りピボットヒンジ１の場合は、傾き防止板７の軸嵌合部７２が回転中心軸５の軸保持部５１に設けた嵌合部５１３に嵌合して回転中心軸５の軸心を略垂直方向に保持しており、且つ、基板４の垂直軸固定部４ｃに固定して傾き防止板７側に突出する垂直軸８が傾き防止板７に設けたガイド部７１を挿通し、垂直軸８に設けた板押え８１が傾き防止板７の上下方向の移動を規制しながら、ガイド部７１が垂直軸８に沿って傾き防止板７をガイドしているので、傾き防止板７はどの位置に動いても常に基板４に平行に、即ち、水平位置を保っていることとなるので、基板４の取付孔９に水平方向の位置調整自在に固定した基端部５１１の位置の移動に伴って傾き防止板７も図１（ａ）及び図２（ａ）〜図２（ｄ）に示す如くその位置を変えることとなるが、回転中心軸５の軸保持部５１の位置を調整する際に軸保持部５１の基端部５１１を固定する軸位置調整ねじ９３を緩めて一時的に軸位置調整駒９２が開放された状態となっても、水平位置を保っている傾き防止板７の軸嵌合部７２が軸保持部５１の嵌合部５１３に嵌合しているから軸保持部５１が傾くことがなくなり、したがって回転中心軸５にぐらつきを発生させることがなくなるという格別の効果が得られることとなるものである。
【００２０】
更に、このようにして軸位置調整をしてもドアの開閉動作を繰り返しているうちに開閉時の振動などで軸位置調整ねじ９３が徐々に緩んでくる為に経時的に回転中心軸５がぐらついてくることが有るが、このような現象に対しても本発明の持ち出し吊りピボットヒンジ１は有効である。即ち上述した通り、傾き防止板７は常に水平を保って軸嵌合部７２が軸保持部５１の嵌合部５１３に嵌合しているので、ドアの開閉時にの震動力に対しても回転中心軸５を傾けようとする作用を抑制する働きを有する事となり、傾き防止板７を用いない場合には直接的に軸位置調整駒９２に作用していた震動力が弱められる効果があるので軸位置調整ねじ９３が緩みにくくなり、また、多少軸位置調整ねじ９３が緩んでも軸部５２は傾き防止板７によって略垂直を保つことができるので回転中心軸５にぐらつきを発生させることがないという格別の効果が得られることとなる。尚、このような軸位置調整ねじ９３の経時的な緩み現象を抑制する為にはねじ部に摩擦抵抗を大きくする為の塗装を施したシールロック仕様の軸位置調整ねじ９３等を用いるとより一層相乗効果を発揮できるものである。
【００２１】
本発明の請求項１の持ち出し吊りピボットヒンジ１の詳細な構成は上記した実施の形態に限定されるものではない。例えば、回転中心軸５の水平方向の位置を調整する手段は上記した軸位置調整駒９２を用いる方法に限るものでなく、また、軸固定部２１が軸部５２を係脱自在に固定する手段も上記した固定爪を用いる方法に限るものではなく、その他の位置調整手段及び固定手段を適用することができる。軸嵌合部７２は軸保持部５１の嵌合部５１３に嵌合して回転中心軸５を回動自在、且つ、略鉛直方向に保持するようにした場合を説明したが、軸嵌合部７２に低磨耗性材料を適用して軸部５２を直接摺動回転可能に、且つ、略鉛直方向に保持するようにしたものであっても良い。垂直軸８は基板に固定して傾き防止板７側に突出しており、且つ、傾き防止板７に長孔を設けてガイド部７１とし、補助的に板押え８１を用いて傾き防止板の上下方向への移動を規制してガイドする場合を例示したが、垂直軸は傾き防止板に固定して基板側に突出し、且つ、ガイド部を基板側に設けて垂直軸をガイド可能に係合するようにしてあっても良い。また、ガイド部７１は長孔として垂直軸８を係合するようにした場合を例示したが、長孔に代えて長溝に垂直軸を係合するものであっても良い。
【００２２】
【発明の効果】
以上説明してきたように、本発明の請求項１に係わる持ち出し吊りピボットヒンジでは、上記した構成としたから、軸位置調整のときにも、経時的にも、回転中心軸のぐらつきを発生させることがなくなるという非常に優れた効果がもたらされる。
【図面の簡単な説明】
【図１】本発明の第一実施形態の持ち出し吊りピボットヒンジの構造説明図であり、（ａ）は平面図、（ｂ）は（ａ）のＡ−Ａ線断面図、（ｃ）は（ａ）のＢ−Ｂ線断面図である。
【図２】本発明の第一実施形態の持ち出し吊りピボットヒンジの回転中心軸の位置を種々移動した状態における傾き防止板の位置の動きを示す説明図である。
【図３】本発明の第一実施形態の持ち出し吊りピボットヒンジを備えたドアをドア枠に建て込んでいる状態を表わす説明図である。
【図４】図３の角度を変えた本発明の第一実施形態の上枠側プレート及びドア側プレートの拡大説明図である。
【図５】図４の上枠側プレートにドア側プレートの軸部を係合した状態を表わす説明図である。
【符号の説明】
１      持ち出し吊りピボットヒンジ
２      他方側プレート
２１    軸固定部
３      一方側プレート
４      基板
５      回転中心軸
５１    軸保持部
５１１  基端部
５２    軸部
７      傾き防止板
７１    ガイド部
７２    軸嵌合部
８      垂直軸
９      取付孔
９１    傾斜溝
９２    軸位置調整駒
９３    軸位置調整ねじ
Ａ      ドア
Ｂ      上枠
【図１】
2005016199.tif 000003
【図２】
2005016199.tif 000004
【図３】
2005016199.tif 000005
【図４】
2005016199.tif 000006
【図５】
2005016199.tif 000007